(57)【特許請求の範囲】
【請求項１】
サーバにアクセスして認証された端末が前記サーバ上で選択したコンテンツ選択結果を前記サーバから受け取り、前記サーバよりゲートウェイ装置のアドレス情報が通知された前記端末からモバイルネットワークを介して接続要求を受けると、前記接続要求に含まれる前記端末の種別情報を取得し、前記サーバから受け取った前記端末によるコンテンツ選択結果を、宅内に設置されるアクセスポイント宛てのメッセージに変換して前記アクセスポイントに送信し、前記アクセスポイントをして、宅内のネットワークエレメントから読み出すべきコンテンツを特定させるとともに、前記アクセスポイントによる前記ネットワークエレメントからの前記コンテンツの読み出しを制御する制御信号変換部と、
宅内の前記ネットワークエレメントから読み出された映像とオーディオの少なくとも一方を含むコンテンツのファイルを、前記アクセスポイントを介して受信し前記ファイルからストリームを抽出するとともに前記ファイルに格納されているコンテンツ情報を読み出す受信部と、
前記受信部で前記ファイルから読み出した前記コンテンツ情報を取得し、前記制御信号変換部で取得した前記端末の種別情報に対応した端末能力情報を取得し、前記コンテンツ情報と前記端末能力情報から、コンテンツの画像解像度、フレームレート、受信可能なファイル形式とファイルサイズ、プロトコルの少なくとも１つの変換に関する変換情報を生成する変換指示部と、
前記受信部で抽出された前記ストリームに対して、前記変換情報に応じて、トランスコード及び／又はファイル形式の変換を施す変換部と、
前記変換部で変換された前記ストリーム及び／又はファイル形式が変換されたファイルに対して、前記変換情報に応じて、前記モバイルネットワーク上に配置される、パケット転送装置又は無線ネットワーク制御装置に対応するプロトコルに変換するプロトコル変換部と、
前記変換部で変換された前記ストリーム又はファイルを、前記プロトコル変換部で変換されたプロトコルにて、前記パケット転送装置又は交換機への接続を経由して前記端末に送出する送信部と、
を備えた、ことを特徴とするゲートウェイ装置。
【請求項２】
請求項１記載のゲートウェイ装置において、
前記ゲートウェイ装置が、モバイルＩＭＳ（ＩＰ  Ｍｕｌｔｉｍｅｄｉａ  Ｓｕｂｓｙｓｔｅｍ）ネットワーク上に配置されるフェムトセルゲートウェイ装置であり、
前記ネットワークエレメントは、宅内に設置される、フェムトセルアクセスポイント、Ｈｏｍｅ  ＮｏｄｅＢ、又は、Ｈｏｍｅ  ｅＮｏｄｅＢのいずれかであり、
前記ゲートウェイ装置において、
前記変換部が、前記変換情報に基づき前記ストリームのトランスコードを施し、さらに前記ストリームを前記端末に送出するためのファイル形式に変換し、前記変換したファイル形式のファイルに、前記トランスコードされた前記ストリームを格納し、
前記プロトコル変換部が、前記モバイルネットワーク上の前記パケット転送装置のプロトコルに変換し、
前記送信部が、前記トランスコードされた前記ストリームを格納した、変換されたファイル形式の前記ファイルを、前記変換されたプロトコルにて、前記パケット転送装置への接続を経由して前記端末に送出する、ことを特徴とするゲートウェイ装置。
【請求項３】
請求項１記載のゲートウェイ装置において、
前記ゲートウェイ装置が、モバイルネットワーク上に配置されるフェムトセルゲートウェイ装置であり、
前記ネットワークエレメントは、宅内に設置される、フェムトセルアクセスポイント、Ｈｏｍｅ  ＮｏｄｅＢ、又は、Ｈｏｍｅ  ｅＮｏｄｅＢのいずれかであり、
前記ゲートウェイ装置において、
前記変換部が、前記ストリームに対して、前記変換情報に基づき前記ストリームのトランスコードを施し、さらに前記ストリームを前記端末に送出するためのファイル形式に変換し、前記変換したファイル形式のファイルに、前記トランスコードされた前記ストリームを格納し、
前記プロトコル変換部が、前記モバイルネットワーク上の前記無線ネットワーク制御装置と同一のプロトコルインタフェースに変換し、
前記送信部が、前記トランスコードされた前記ストリームを格納した、変換されたファイル形式の前記ファイルを、前記プロトコルインタフェースよる前記モバイルネットワーク上の前記交換機への接続を経由して、前記端末に送出する、ことを特徴とするゲートウェイ装置。
【請求項４】
前記端末種別情報である端末の機種に対応させて、
許容できるコーデック、
画面解像度、
フレームレート、
前記端末で受信可能なファイル形式とファイルサイズ、
前記端末の受信プロトコル、
の少なくとも一つを含む、端末の能力情報を保持する能力テーブルを備え、
前記変換指示部は、前記端末の機種に対応した能力情報を前記能力テーブルから読み出し、前記能力情報に対応した前記変換情報を作成する、ことを特徴とする請求項１乃至３のいずれか１項に記載のゲートウェイ装置。
【請求項５】
前記変換部における前記変換として、
コーデック、
ビットレート、
画面解像度、
フレームレート、
ファイル形式とファイルサイズ、
前記プロトコル変換部におけるプロトコル、
のうちの少なくとも一つに対する変換を実時間で行う、ことを特徴とする請求項１乃至４のいずれか１項に記載のゲートウェイ装置。
【請求項６】
端末の種別に対応して、許容できるコーデック、画面解像度、フレームレート、受信可能なファイル形式とファイルサイズ、受信プロトコルの少なくとも一つを含む端末能力情報を保持する能力テーブルを備え、
前記変換指示部は、前記制御信号変換部から前記端末種別情報を受け取り、前記能力テーブルから前記端末種別情報に対応した端末能力情報を取得し、前記コンテンツ情報を前記受信部から受け取り、前記端末能力情報に対応した前記コンテンツ情報の変換情報を作成してトランスコーダ部に出力し、前記能力テーブルから読み出した端末能力情報を、ファイル変換部、前記プロトコル変換部、前記送信部に出力し、
前記変換部が、
前記受信部から抽出されたストリームを受信し、前記変換指示部からの変換情報に対応したトランスコード処理を行う前記トランスコーダ部と、
前記変換指示部から前記端末能力情報を入力し、前記トランスコーダ部から変換後のストリームを入力し、前記端末能力情報に従い、ストリームを前記端末に送出するためにファイル形式に変換し、前記ファイルにストリームを格納する前記ファイル変換部と、
を備え、
前記プロトコル変換部が、
前記変換指示部から前記端末能力情報を入力し、前記ファイル変換部からファイルを入力し、前記端末能力情報に対応したプロトコルを決定し、前記プロトコルによりファイルを送出し、
前記送信部が、前記変換指示部から前記端末能力情報を入力し、前記プロトコル変換部からプロトコル及びファイル形式を入力し、前記モバイルネットワーク上に配置されるノード装置への接続を経由して前記端末宛にパケットを送出する、
ことを特徴とする請求項１乃至３のいずれか１項に記載のゲートウェイ装置。
【請求項７】
前記端末は、
携帯電話、
ＰＨＳ(Ｐｅｒｓｏｎａｌ  Ｈａｎｄｙｐｈｏｎｅ  Ｓｙｓｔｅｍ）、
無線ＬＡＮ（Ｌｏｃａｌ  Ａｒｅａ  Ｎｅｔｗｏｒｋ）端末、
ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）端末、
モバイルデータカード内蔵パーソナルコンピュータ、
モバイルデータカード内蔵ゲーム機の少なくとも一つを含む、ことを特徴とする請求項１乃至３のいずれか１項に記載のゲートウェイ装置。
【請求項８】
前記モバイルネットワーク上の前記パケット転送装置を介して、前記無線ネットワーク制御装置（ＲＮＣ）に接続され、前記無線ネットワーク制御装置（ＲＮＣ）に接続する無線基地局を介して前記端末に接続される、請求項２記載のゲートウェイ装置。
【請求項９】
前記モバイルネットワーク上の前記交換機を介して前記無線ネットワーク制御装置（ＲＮＣ）に接続され、前記無線ネットワーク制御装置（ＲＮＣ）に接続する無線基地局を介して前記端末に接続される、請求項３記載のゲートウェイ装置。
【請求項１０】
モバイルネットワークと、
宅内に配置されるネットワークエレメントと、
前記モバイルネットワーク及びネットワークエレメントに接続するゲートウェイ装置と、
を備え、
前記ゲートウェイ装置は、請求項１乃至９のいずれか１項記載のゲートウェイ装置からなる、ことを特徴とする通信システム。
【発明の詳細な説明】
【技術分野】
【０００１】
［関連出願についての記載］
本発明は、日本国特許出願：特願２００９−１６１９５５号（２００９年７月８日出願）の優先権主張に基づくものであり、同出願の全記載内容は引用をもって本書に組み込み記載されているものとする。
本発明は、ゲートウェイ技術に関し、特に、宅外の端末からネットワークを介して宅内のコンテンツのアクセスに適用して好適なフェムトセルゲートウェイ装置と方法及びシステムに関する。
【背景技術】
【０００２】
デジタル放送、デジタルハイビジョン放送やブロードバンドやＮＧＮ（Ｎｅｘｔ  Ｇｅｎｅｒａｔｉｏｎ  Ｎｅｔｗｏｒｋ）等によるコンテンツ配信やＩＰＴＶ（Ｉｎｔｅｒｎｅｔ  Ｐｒｏｔｏｃｏｌ  ＴｅｌｅＶｉｓｉｏｎ）等により、エンドユーザは、宅内で映像やオーディオを含むコンテンツを受信し家庭内のハードディスクレコーダ等に蓄積することができる。【０００３】
また、家庭内のハードディスクレコーダ等には、エンドユーザ自身が、デジタルカメラやデジタルビデオカメラ等を用いて撮影した静止画、動画コンテンツも蓄積している場合がある。【０００４】
これらのさまざまな映像コンテンツに対して、家庭内の視聴だけでなく、家庭の外から、本人（例えばコンテンツ所有者本人）だけでなく、視聴者を限定した視聴を可能にするサービスの検討やトライアルが行われている。例えば、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ  ）  ＣＣＮＣ（Ｃｏｎｓｕｍｅｒ  Ｃｏｍｍｕｎｉｃａｔｉｏｎｓ  ａｎｄ  ｎｅｔｗｏｒｋｉｎｇ  Ｃｏｎｆｅｒｅｎｃｅ）  ２００８の“Ｐｒｏｐｏｓａｌ  ｏｎ  Ｗｉｄｅ  ａｒｅａ  ＤＬＮＡ  Ｃｏｍｍｕｎｉｃａｔｉｏｎ  Ｓｙｓｔｅｍ”，  ｐｐ．２３３−２３７，  ２００８年等に記載されているような、ＤＬＮＡ  （Ｄｉｇｉｔａｌ  Ｌｉｖｉｎｇ  Ｎｅｔｗｏｒｋ  Ａｌｌｉａｎｃｅ）対応の宅内機器に蓄積されているコンテンツを、ホームゲートウェイを介して、家庭の外から携帯電話で直接視聴したり、特定のユーザがコンテンツを共有したりする方法が提案されている。【０００５】
一方、モバイルネットワークの高速化により、宅内に設置して、モバイルＩＭＳ（ＩＰ  Ｍｕｌｔｉｍｅｄｉａ  Ｓｕｂｓｙｓｔｅｍ）ネットワーク又はモバイルネットワークと接続することで携帯端末と接続し、携帯端末と宅内の機器との間で高速な通信を実現するフェムトセルアクセスポイントやＨｏｍｅ  ＮｏｄｅＢや、Ｈｏｍｅ  ｅＮｏｄｅＢ等の技術が開発されている。【０００６】
さらに、特許文献１（特開２００７−３１２１４８号公報）には、サーバへの負荷を軽減し安全性が高くより多くの宅外装置の機種に対応した通信を実現するホームゲートウェイ装置として、ネットワークを介して宅外装置と外部ゲートウェイ装置とに接続されるホームゲートウェイ装置であって、所定の装置に関する情報を保持する記憶部と、前記宅外装置とのアクセスを制御するアクセス制御部とを備え、前記アクセス制御部は、前記記憶部から取得した前記所定の装置に関する情報を前記外部ゲートウェイ装置に送信し、前記宅外装置から取得した前記宅外装置に関する情報が前記所定の装置に関する情報に該当すると前記外部ゲートウェイ装置が判断した場合に、前記アクセス制御部は、前記外部ゲートウェイ装置を経由せずに前記宅外装置と通信する制御を行う構成が開示されている。しかしながら、特許文献１には、携帯端末の種別を特定し、前記端末の種別に適した変換を、映像又はオーディオ信号に対して施し、端末に送出するという後述される本発明の構成は開示されていない。
【先行技術文献】
【特許文献】
【０００７】
【特許文献１】特開２００７−３１２１４８号公報
【発明の概要】
【発明が解決しようとする課題】
【０００８】
上記特許文献１の全開示内容はその引用をもって本書に繰込み記載する。
以下に本発明による関連技術の分析を与える。【０００９】
従来の方法では、外部から宅内のコンテンツを再生する端末、すなわち、携帯電話、ＰＨＳ（Ｐｅｒｓｏｎａｌ  Ｈａｎｄｙｐｈｏｎｅ  Ｓｙｓｔｅｍ）、モバイルデータカード内蔵ノートＰＣ、モバイルデータカード内蔵ゲーム機等において、映像を復号できる能力は、端末の種別等に応じて異なる。これらの能力と宅内に蓄積されたコンテンツとで、コーデック、画面サイズ、ビットレート、プロトコル、ファイル形式等の少なくとも一つが異なる場合には、宅内の映像コンテンツを端末で復号することや表示することができない、という問題があった。【００１０】
したがって、本発明の目的は、外部の端末において、宅内にあるコンテンツを復号・表示することを可能とするゲートウェイ装置、方法、通信システムを提供することにある。
【課題を解決するための手段】
【００１１】
本発明によれば、端末からモバイルネットワークを介して要求を受けると、宅内に設置されるネットワークエレメントに対して要求を出す制御信号変換部と、前記ネットワークエレメントを介して読み出される映像とオーディオの少なくとも一方を含むストリーム又はファイルを受信する受信部と、前記受信部で受信した前記ストリーム又は前記ファイルに対して、前記端末に応じて、前記ストリームのトランスコード又はファイル形式の変換を施す変換部と、前記変換部で変換された前記ストリーム又は前記ファイルに対して、前記モバイルネットワーク上に配置されるノード装置に対応するプロトコルに変換するプロトコル変換部と  前記変換された前記ストリーム又は前記ファイルを、前記変換されたプロトコルにて、前記ノード装置への接続を経由して前記端末に送出する送信部と、を備えたゲートウェイ装置が提供される。【００１２】
本発明の一つの態様によればモバイルＩＭＳ（ＩＰ  Ｍｕｌｔｉｍｅｄｉａ  Ｓｕｂｓｙｓｔｅｍ）ネットワーク上に配置されるゲートウェイ装置であって、端末からモバイルネットワークを介して所定の要求を受けた場合、宅内に設置されるネットワークエレメントに対して要求を出し、
前記ネットワークエレメントに接続される機器及び前記ネットワークエレメントとネットワークを介して接続される機器のうちの少なくとも一つから、映像とオーディオの少なくとも一方を含むストリーム又はファイルを読み出し、
読み出した前記ストリーム又は前記ファイルに対して、前記端末に応じた変換を施した上で、前記モバイルネットワーク上のパケット転送装置へのプロトコルに変換し、パケット転送装置への接続を経由して、前記端末に送出する変換部を備えたフェムトセルゲートウェイ装置が提供される。【００１３】
また本発明の別の態様によれば、モバイルネットワーク上に配置されるゲートウェイ装置であって、モバイルネットワークに接続する端末から所定の要求を受けた場合、宅内に設置されるネットワークエレメントに対して要求を出し、
前記ネットワークエレメントに直接又はネットワークを介して接続される機器とのうちの少なくとも一つから、映像とオーディオの少なくとも一方を含むストリーム又はファイルを読み出し、
読み出した前記ストリーム又は前記ファイルに対して、前記端末に応じた変換を施した上で、無線制御装置と同一のプロトコル・インタフェースに変換し、前記プロトコルインタフェースにより、前記交換機への接続を経由して、前記端末に送出する変換部を備えたフェムトセルゲート装置が提供される。本発明において、前記ネットワークエレメントは、宅内に設置される、フェムトセルアクセスポイント、Ｈｏｍｅ  ＮｏｄｅＢ、又はＨｏｍｅ  ｅＮｏｄｅＢのいずれかである。【００１４】
本発明によれば、モバイルＩＭＳネットワーク上に配置されるフェムトセルゲートウェイ装置が、端末から、モバイルネットワークを介して所定の要求を受けた場合、
宅内に設置されるネットワークエレメントに対して要求を出し、
前記ネットワークエレメントに直接又はネットワークを介して接続される機器のうちの少なくとも一つから、映像とオーディオの少なくとも一方を含むストリーム又はファイルを読み出し、
読み出した前記ストリーム又は前記ファイルに対して、前記端末に応じた変換を施した上で、前記モバイルネットワーク上のパケット転送装置へのプロトコルに変換し、
前記パケット転送装置への接続を経由して前記端末に送出するゲートウェイ方法が提供される。【００１５】
本発明のさらに別の態様によれば、モバイルネットワーク上に配置されるゲートウェイ装置が、端末から所定の要求を受けた場合、宅内に設置されるネットワークエレメントに対して要求を出し、
前記ネットワークエレメントに直接又はネットワークを介して接続される機器のうちの少なくとも一つから、映像とオーディオの少なくとも一方を含むストリーム又はファイルを読み出し、
読み出した前記ストリーム又は前記ファイルに対して、前記端末に応じた変換を施した上で、無線制御装置と同一のプロトコルインタフェースに変換し、前記プロトコルインタフェースよる交換機への接続を経由して、前記端末に送出するゲートウェイ方法が提供される。本発明において、前記ネットワークエレメントは、宅内に設置される、フェムトセルアクセスポイント、Ｈｏｍｅ  ＮｏｄｅＢ、又はＨｏｍｅ  ｅＮｏｄｅＢのいずれかである。【００１６】
本発明によれば、モバイルＩＭＳネットワーク上に配置されるゲートウェイ装置に、
端末から、モバイルネットワークを介して所定の要求を受けた場合、
宅内に設置されるネットワークエレメントに対して要求を出し、
前記ネットワークエレメントに直接又はネットワークを介して接続される機器のうちの少なくとも一つから、映像とオーディオの少なくとも一方を含むストリーム又はファイルを読み出し、
読み出した前記ストリーム又は前記ファイルに対して、前記端末に応じた変換を施した上で、前記モバイルネットワーク上のパケット転送装置へのプロトコルに変換し、前記パケット転送装置への接続を経由して前記端末に送出する処理を実行させるプログラムが提供される。本発明によれば、該プログラムを記録した記録媒体も提供される。【００１７】
本発明によれば、モバイルネットワーク上に配置されるフェムトセルゲートウェイ装置に、
端末から所定の要求を受けた場合、宅内に設置されるネットワークエレメントに対して要求を出し、
前記ネットワークエレメントに直接又はネットワークを介して接続される機器のうちの少なくとも一つから、映像とオーディオの少なくとも一方を含むストリーム又はファイルを読み出し、
読み出した前記ストリーム又は前記ファイルに対して、前記端末に応じた変換を施した上で、無線制御装置と同一のプロトコルインタフェースに変換し、前記プロトコルインタフェースよる交換機への接続を経由して、前記端末に送出する処理を実行させるプログラムが提供される。本発明によれば、該プログラムを記録した記録媒体も提供される。【００１８】
本発明によれば、モバイルネットワークと、宅内に配置されるネットワークエレメントと、前記モバイルネットワーク及びネットワークエレメントに接続するゲートウェイ装置と、を備え、前記モバイルネットワークはノード装置を備え、前記ゲートウェイ装置は、端末から前記モバイルネットワークを介して要求を受けると、前記ネットワークエレメントに対して要求を出し、前記ネットワークエレメントは、前記ネットワークエレメントに接続される機器から、映像とオーディオの少なくとも一方を含むストリーム又はファイルを読み出し、読み出した前記ストリーム又は前記ファイルを、前記ゲートウェイ装置に送出し、前記ゲートウェイ装置は、前記ストリーム又は前記ファイルに対して、前記端末に応じて前記ストリームのトランスコード又はファイル形式の変換を施し、前記端末に応じた変換が施された前記ストリーム又は前記ファイルに対して、前記モバイルネットワーク上に配置されるノード装置に対応するプロトコルに変換し、前記変換された前記ストリーム又は前記ファイルを、前記変換されたプロトコルにて、前記ノード装置への接続を経由して前記端末に送出する通信システムが提供される。
【発明の効果】
【００１９】
本発明によれば、外部の端末において、宅内のコンテンツを読み出して復号・表示することができる。
【図面の簡単な説明】
【００２０】
【図１】本発明の第１の実施形態の接続構成を示す図である。
【図２】本発明の第１の実施形態のフェムトセルゲートウェイ装置１１０の構成を示す図である。
【図３】本発明の第２の実施形態の接続構成を示す図である。
【図４】本発明の第２の実施形態のフェムトセルゲートウェイ装置３１０の構成を示す図である。
【発明を実施するための形態】
【００２１】
本発明の態様の一つにおいては、宅内の外部に位置する携帯電話、ＰＨＳ、モバイルデータカード内蔵ノートＰＣ、モバイルデータカード内蔵ゲーム機等、どんな種類の端末（携帯端末）であっても、端末を改造することなく、外部から宅内にあるコンテンツを復号・表示することができるフェムトセルゲートウェイ装置が提供される。
【００２２】
本発明の態様の一つにおいて、フェムトセルゲートウェイ装置（１１０）は、モバイルＩＭＳ（ＩＰ  Ｍｕｌｔｉｍｅｄｉａ  Ｓｕｂｓｙｓｔｅｍ）ネットワーク（１３０）又はモバイルネットワーク（１４０）上に配置され、宅内のフェムトセルアクセスポイント（２００）に接続される。携帯電話を含む端末（１７０）から所定の要求（例えばコンテンツの読み出し）があった場合には、家庭内（宅内）に設置されるフェムトセルアクセスポイント（２００）に対して要求を出し、フェムトセルアクセスポイント（２００）に直接又は家庭内ネットワークを介して接続される機器（１５７、１５８）から、映像とオーディオの少なくとも一方を含むコンテンツを読み出し、読み出したコンテンツに対し、要求元の前記端末（１７０）の能力とネットワークの特性の少なくとも一つに対応した変換を施した上で、モバイルネットワーク（１４０）を介して、端末（１７０）に送出する変換部を備えている。本発明において、前記送出されたパケットは、モバイルネットワーク（１４０）上のパケット転送装置（１９０）に接続して前記端末（１７０）に送出される。
【００２３】
本発明は、別の形態において、モバイルネットワーク（１４０）上に配置されるフェムトセルゲートウェイ装置（３１０）であって、モバイルネットワーク（１４０）に接続する端末（１７０）から所定の要求を受けた場合、宅内に設置されるフェムトアクセスポイント（２００）に対して要求を出し、フェムトアクセスポイント（２００）に接続される機器及び前記フェムトアクセスポイントと家庭内ネットワークを介して接続される機器のうちの少なくとも一つから、映像とオーディオの少なくとも一方を含むストリーム又はファイルを読み出し、読み出した前記ストリーム又は前記ファイルに対して、前記端末（１７０）の能力と前記ネットワークの特性のうちの少なくとも一つに対応した変換を施した上で、無線制御装置（１９５）と同一のプロトコルインタフェースに変換し、前記プロトコルインタフェースよる交換機（１９８）への接続を経由して、前記端末に送出する変換部を備えたフェムトセルゲート装置が提供される。
【００２４】
本発明によれば、変換部における変換は、コーデック、ビットレート、画面解像度、フレームレート、ファイル形式、プロトコルのうちの少なくとも一つに対する変換を含む。
【００２５】
本発明によれば、宅内において、フェムトセルアクセスポイントのかわりに、Ｈｏｍｅ  ＮｏｄｅＢ又はＨｏｍｅ  ｅＮｏｄｅＢを用いる構成としてもよい。
【００２６】
さらに本発明によれば、端末（１７０）は、携帯電話、ＰＨＳ、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ：ＷｉＭＡＸはＷｉＭＡＸ  Ｆｏｒｕｍの登録商標）端末、モバイルデータカード内蔵パーソナルコンピュータ、モバイルデータカード内蔵ゲーム機等を含むフェムトセルゲートウェイ装置が得られる。
【００２７】
図１乃至図３を参照して、本発明の実施形態の構成と動作について説明する。なお、以下の実施形態では、コンテンツの例として動画像の場合の構成例を示すが、静止画、オーディオ、音声の場合も同様の構成を用いることができる。
【００２８】
＜実施形態１＞
図１は、本発明の一実施形態によるフェムトセルゲートウェイ装置を用いた場合の接続構成を示す図である。図１に示すように、宅内１５０において、ホームサーバ１５５、テレビ１５７、ＤＶＤ／ＨＤＤ（Ｄｉｇｉｔａｌ  Ｖｅｒｓａｔｉｌｅ  Ｄｉｓｋ）／ＨＤＤ（Ｈａｒｄ  Ｄｉｓｋ  Ｄｒｉｖｅ）レコーダ１５８はフェムトセルアクセスポイント２００に直接接続されるか、又は、家庭内ネットワークを介してフェムトセルアクセスポイント２００に接続される。ここで、フェムトセルアクセスポイント２００、ホームサーバ１５５、テレビ１５７、ＤＶＤ／ＨＤＤ１５８は例えばＤＬＮＡ  （Ｄｉｇｉｔａｌ  Ｌｉｖｉｎｇ  Ｎｅｔｗｏｒｋ  Ａｌｌｉａｎｃｅ）ガイドラインに準拠して接続させることができる。
【００２９】
宅内のフェムトセルアクセスポイント２００は、地域内のＩＰネットワーク１３５に接続され、ＩＰネットワークを経由して、モバイルＩＭＳネットワーク１３０に接続されている。ここで、モバイルＩＭＳネットワーク１３０は、ＢＢ（ブロードバンドネットワーク）、ＮＧＮ（Ｎｅｘｔ  Ｇｅｎｅｒａｔｉｏｎ  Ｎｅｔｗｏｒｋ）、インターネット等が適用されるが、以下では、ＢＢ（ブロードバンドネットワーク）として説明する。
【００３０】
フェムトセルゲートウェイ装置１１０は、モバイルＩＭＳネットワーク１３０上に配置され、宅内のフェムトセルアクセスポイント２００と接続されている。
【００３１】
また、フェムトセルゲートウェイ装置１１０は、モバイルネットワーク１４０上にあるパケット転送装置であるｘＧＳＮ（serving/gateway General packet radio service Support Node; SGSN（Serving General packet radio service Support Node）とGGSN(Gateway General packet radio service Support Node）を統合化したノード）装置１９０と接続されておりパケットの送受信を行う。
【００３２】
ｘＧＳＮ装置１９０は、モバイルネットワーク１４０上にあるＲＮＣ（Ｒａｄｉｏ  Ｎｅｔｗｏｒｋ  Ｃｏｎｔｒｏｌｌｅｒ）装置１９５に接続される。
【００３３】
さらにＲＮＣ（Ｒａｄｉｏ  Ｎｅｔｗｏｒｋ  Ｃｏｎｔｒｏｌｌｅｒ）装置１９５には、無線基地局１４１を介して携帯端末１７０が接続される。
【００３４】
携帯端末１７０としては、特に制限されないが、以下では携帯電話を用いることとして説明する。
【００３５】
携帯端末１７０は接続を行う際に、モバイルネットワーク１４０を介してウェブ（Ｗｅｂ）サーバ１２０にアクセスし、認証を行う。
【００３６】
携帯端末１７０は、認証後に、Ｗｅｂサーバ１２０から提供されるコンテンツ選択画面で見たいコンテンツを選択する。
【００３７】
ウェブサーバ１２０は、認証完了した通知とコンテンツの選択結果を、フェムトセルゲートウェイ装置１１０に出力するとともに、携帯端末１７０に対して、フェムトセルゲートウェイ装置１１０の受信ＩＰアドレスを通知する。
【００３８】
その後、携帯端末１７０は、フェムトセルゲートウェイ装置１１０あてに接続要求を出す。以下では、接続要求に使用するプロトコルはＴＣＰ／ＩＰ上のＨＴＴＰ（ＨｙｐｅｒＴｅｘｔ  Ｔｒａｎｓｆｅｒ  Ｐｒｏｔｏｃｏｌ）とするが、ＳＩＰ（Ｓｅｓｓｉｏｎ  Ｉｎｉｔｉａｔｉｏｎ  Ｐｒｏｔｏｃｏｌ）等を使用することもできる。
【００３９】
ＨＴＴＰを用いる場合、携帯端末１７０はリクエストコマンドを用いて接続要求をすることができる。
【００４０】
図２は、フェムトセルゲートウェイ装置１１０の構成を示す図である。フェムトセルゲートウェイ装置１１０は、制御信号変換部１１１、パケット受信部１１２、トランスコーダ部１１３、ファイル変換部１１４、プロトコル変換部１１５、パケット送信部１１６、変換指示部１１７、能力テーブル１１８を備えている。
【００４１】
制御信号変換部１１１は、ウェブサーバ１２０から認証完了の通知とコンテンツ選択結果を受け取り、携帯端末１７０からＨＴＴＰリクエストコマンドを受信する。
【００４２】
制御信号変換部１１１は、ＨＴＴＰリクエストコマンドのユーザエージェントヘッダに記載されている端末種別情報を読み出すことにより、端末１７０の端末種別を特定する。
【００４３】
特に制限されないが、端末種別情報としては、例えば、携帯電話製造メーカや形式等があげられる。そして端末種別情報を変換指示部１１７に出力する。
【００４４】
一方、制御信号変換部１１１は、携帯端末１７０からのＨＴＴＰによるリクエストコマンドを、例えばＳＩＰ（Ｓｅｓｓｉｏｎ  Ｉｎｉｔｉａｔｉｏｎ  Ｐｒｏｔｏｃｏｌ）のＩｎｖｉｔｅメッセージに変換し、フェムトセルアクセスポイント２００の受信ＩＰアドレスあてに送信する。
【００４５】
さらに、制御信号変換部１１１は、コンテンツ選択結果を、例えばＳＩＰのＩｎｆｏメッセージに変換し、フェムトセルアクセスポイント２００に送信する。
【００４６】
再び図１を参照して、フェムトセルアクセスポイント２００は、フェムトセルゲートウェイ装置１１０から、ＳＩＰ  Ｉｎｖｉｔｅメッセージを受信し、セッションを開設する。
【００４７】
さらに、フェムトセルアクセスポイント２００は、フェムトセルゲートウェイ装置１１０から、ＳＩＰ  Ｉｎｆｏメッセージを受信して、これを解析し、読み出す映像コンテンツを特定し、ＤＶＤ／ＨＤＤレコーダ１５８に通知する。
【００４８】
さらに、フェムトセルアクセスポイント２００は、前記コンテンツのファイルをＤＶＤ／ＨＤＤレコーダ１５８から読み出し、読み出したコンテンツのファイルを、フェムトセルゲートウェイ装置１１０に対して、例えばＲＴＰ（Ｒｅａｌ−ｔｉｍｅ  Ｔｒａｎｓｐｏｒｔ  Ｐｒｏｔｏｃｏｌ）プロトコルを用いて、ＩＰネットワーク１３５及びモバイルＩＭＳネットワーク１３０を経由して送出する。
【００４９】
図２を参照すると、フェムトセルゲートウェイ装置１１０のパケット受信部１１２は、フェムトセルアクセスポイント２００から、ＤＶＤ／ＨＤＤレコーダ１５８から読み出したコンテンツファイルのパケットを受信し、該コンテンツファイルのファイルに格納されたストリームを抽出してトランスコーダ部１１３に出力する。
【００５０】
さらに、パケット受信部１１２は、コンテンツファイルに格納されているコンテンツ情報（例えば映像の圧縮符号化方式、映像の画面解像度、ビットレート、フレームレート、映像コンテンツの時間長、オーディオの圧縮符号化方式、オーディオコンテンツの時間長等）を読み取り、変換指示部１１７に出力する。
【００５１】
変換指示部１１７は、制御信号変換部１１１から端末種別情報を受け取り、パケット受信部１１２から前記コンテンツ情報を受け取り、トランスコーダ部１１３でどのような変換を行うのかを決定する。
【００５２】
例えば前記コンテンツ情報によれば、ＤＶＤ／ＨＤＤレコーダ１５８から読み出す映像コンテンツが、ＭＰＥＧ−２  ＭＰ（Ｍａｉｎ  Ｐｒｏｆｉｌｅ）、８Ｍｂｐｓ（メガビット／秒）で圧縮符号化され、画面解像度がＳＤ（７２０ｘ４８０ピクセル）フレームレートが３０ｆｐｓ（フレーム／秒）であることを認識する。また、前記端末種別情報から、携帯端末１７０が新型の携帯電話であることを認識する。
【００５３】
変換指示部１１７では、端末の機種に対応させて、
・許容できるコーデック、
・画面解像度、
・フレームレート、
・受信可能なファイル形式とファイルサイズ、
・受信プロトコル、
等の能力情報を能力テーブル１１８に予め保有しておく。
【００５４】
変換指示部１１７は、端末種別情報に対応して、端末毎に能力テーブル１１８から適切な能力情報を読み出す。
【００５５】
本実施形態では、端末の機種が新しい端末であるため、能力テーブル１１８から読み出した能力情報としては、Ｈ．２６４符号化で５１２ｋｂｐｓ、ＱＶＧＡ（Ｑｕａｒｔｅｒ  Ｖｉｄｅｏ  Ｇｒａｐｈｉｃ  Ａｒｒａｙ：３２０ｘ２４０ピクセル）画面解像度、フレームレートは３０ｆｐｓとなる。
【００５６】
そして、変換指示部１１７は、前記コンテンツ情報と前記端末の能力情報との間の変換を行うための変換情報（例えば、ＭＰＥＧ−２  ＭＰデコードし、画面解像度をＳＤからＱＶＧＡに変換し、Ｈ．２６４  ５１２ｋｂｐｓ、３０ｆｐｓでエンコードする等）を作成し、作成した変換情報をトランスコーダ部１１３等に出力する。
【００５７】
また、変換指示部１１７は読み出した能力情報を、ファイル変換部１１４、プロトコル変換部１１５、パケット送信部１１６に出力する。
【００５８】
トランスコーダ部１１３は、パケット受信部１１２から抽出されたストリームを受信し、変換指示部１１７から上述した変換情報（例えば、ＭＰＥＧ−２  ＭＰデコードし、画面解像度をＳＤからＱＶＧＡに変換し、Ｈ．２６４  ５１２ｋｂｐｓ、３０ｆｐｓでエンコードする等）を受け取り、これに従い、実時間で動作するトランスコーダを動作させ、前記ストリームに対して変換（例えば、受信したストリームに対しＭＰＥＧ−２  ＭＰデコードし、画面解像度をＳＤからＱＶＧＡに変換し、Ｈ．２６４、５１２ｋｂｐｓ、３０ｆｐｓでエンコードする等）を施し、変換後のストリームをファイル変換部１１４に出力する。
【００５９】
ファイル変換部１１４は、変換指示部１１７から、携帯端末１７０の能力情報を入力し、トランスコーダ部１１３から変換後のストリームを入力し、前記能力情報に従い、ストリームを携帯端末１７０に送出するためのファイル形式に変換する。
【００６０】
ここで、ファイル形式には、例えば３ＧＰＰ、３ＧＰＰ２、ＭＰ４等があり、携帯端末の機種によって許容できるファイル形式が異なる。ファイル変換部１１４は、前記能力情報に従いどのファイル形式を使用するかを決定し、決定されたファイル形式に従い、ファイルを生成し、その中に変換後のストリームを格納し、ファイルをプロトコル変換部１１５に出力する。ここで、例えば３ＧＰＰＰファイルフォーマットの詳細は、３ＧＰＰ  ＴＳ２６．２４４規格を参照することができる。
【００６１】
プロトコル変換部１１５は、変換指示部１１７から前記能力情報を入力し、ｘＧＳＮ装置１９０が受け取ることができるプロトコルを決定し、ファイル変換部１１４からファイルを入力し、このプロトコルによりファイルを送出する。ここで、プロトコルとしては、ＧＴＰ（ＧＰＲＳ  Ｔｕｎｎｅｌｉｎｇ  Ｐｒｏｔｏｃｏｌ）を用いるものとする。ＧＴＰ／ＵＤＰ（Ｕｓｅｒ  Ｄａｔａｇｒａｍ  Ｐｒｏｔｏｃｏｌ）／ＩＰ（Ｉｎｔｅｒｎｅｔ  Ｐｒｏｔｏｃｏｌ）プロトコルにしたがってファイル形式を読み込んだものをパケット送信部１１６に出力する。
【００６２】
パケット送信部１１６は、変換指示部１１７から前記能力情報を入力し、プロトコル変換部１１５からプロトコル及びファイル形式を入力し、モバイルネットワーク１４０上のｘＧＳＮ装置１９０に対して、ＧＴＰ／ＵＤＰ／ＩＰパケットを送出する。
【００６３】
図１にもどり、ｘＧＳＮ装置１９０は、ＧＴＰプロトコル上でファイルを入力し、これをＩｕ−ＰＳ（ＲＮＣを３Ｇ  ＳＧＳＮ（Ｓｅｒｖｉｎｇ  Ｇｅｎｅｒａｌ  ｐａｃｋｅｔ  ｒａｄｉｏ  ｓｅｒｖｉｃｅ  Ｓｕｐｐｏｒｔ  Ｎｏｄｅ）にリンクするＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）のインタフェース）プロトコルに変換し、ＲＮＣ（Ｒａｄｉｏ  Ｎｅｔｗｏｒｋ  Ｃｏｎｔｒｏｌｌｅｒ）１９５に出力する。
【００６４】
ＲＮＣ１９５は、Ｉｕ−ＰＳプロトコルを、ＴＣＰ／ＩＰプロトコルに変換し、携帯端末１７０が在圏するエリアにある無線基地局１４１を選択し、当該無線基地局１４１を経由して携帯端末１７０にパケットを送出る。
【００６５】
携帯端末１７０は、モバイルネットワーク１４０を介して、ＴＣＰ／ＩＰプロトコルによりコンテンツファイルを受信し、前記ファイルからストリームを取り出し、復号、再生、表示を行う。
【００６６】
以上で第一の実施の構成の説明を終える。上記の実施形態はあくまでも一例であり別の実施形態として、ネットワーク１３５は、ブロードバンド網だけでなく、ＮＧＮ（Ｎｅｘｔ  Ｇｅｎｅｒａｔｉｏｎ  Ｎｅｔｗｏｒｋ）網、インターネット等を用いることができる。また、携帯端末１７０がＲＴＰストリームを受信できる場合には、トランスコーダ部１１３からファイル変換部１１４をバイパスしてプロトコル変換部１１５に出力し、プロトコル変換部１１５においてＲＴＰ／ＵＤＰプロトコルに変換し、パケット送信部１１６からＲＴＰ／ＵＤＰ／ＩＰストリームをＧＴＰ（ＧＰＲＳ  Ｔｕｎｎｅｌｉｎｇ  Ｐｒｏｔｏｃｏｌ）プロトコルでトネリングしてｘＧＳＮ装置１９０に送出する構成としてもよい。
【００６７】
モバイルネットワーク１４０は、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）網、ＬＴＥ（Ｌｏｎｇ  Ｔｅｒｍ  Ｅｖｏｌｕｔｉｏｎ）網等も、同じ構成にて使用することができる。
【００６８】
ＤＶＤ／ＨＤＤレコーダ１５８は、映像コンテンツの圧縮符号化に使用するコーデックとしては、ＭＰＥＧ−２以外の周知のコーデック、例えば、Ｈ．２６４やＭＰＥＧ−４やＷＭＶ（Ｗｉｎｄｏｗｓ（登録商標）  Ｍｕｌｔｉｍｅｄｉａ  Ｖｉｄｅｏ）等を使用することもできる。
【００６９】
この場合、トランスコーダ部１１３において、フェムトセルアクセスポイント２００から受信したストリームをデコードするときに、ＭＰＥＧ−２以外の、Ｈ．２６４、ＭＰＥＧ−４やＷＭＶ等を使用することができる。
【００７０】
また、フェムトセルアクセスポイント２００を介してＤＶＤ／ＨＤＤレコーダ１５８から読み出したストリームに暗号が施されている場合には、フェムトセルゲートウェイ装置１１０は、パケット受信部１１２において、ストリームを取り出した際に、暗号を復号化した上で、トランスコーダ部１１３に出力するような構成をとることができる。この場合、フェムトセルゲートウェイ装置１１０及び制御信号変換部１１１は、フェムトセルアクセスポイント２００又はサービス事業者のサーバから、暗号復号に関する情報を入手し、本情報を変換指示部１１７通知し、パケット受信部１１２に通知する構成をとることもできる。
【００７１】
上記の実施の形態は、動画信号を圧縮符号化したコンテンツに対応するものであるが、静止画や、オーディオ信号等に対しても、同一の構成で対応することができる。
【００７２】
なお、上記実施の形態において、図２に示したフェムトセルゲートウェイ装置１１０において、制御信号送受信部１１１と、パケット受信部１１２と、トランスコーダ部１１３と、ファイル変換部１１４と、プロトコル変換部１１５と、パケット送信部１１６と、変換指示部１１７は、フェムトセルゲートウェイ装置１１０を構成するコンピュータ上で動作するプログラムによりその処理・機能を実現するようにしてもよいことは勿論である。以下の実施の形態についても同様である。
【００７３】
＜実施形態２＞
図３は、本発明の第２の実施の形態を示すブロック図である。図において、図１と同一の要素には同一の参照番号が付されており、図１と同一の動作を行うので、説明は省略する。以下では、本実施例と図１の実施例の相違点について主に説明する。
【００７４】
フェムトセルゲートウェイ装置３１０はモバイルネットワーク１４０上に配置され宅内のフェムトセルアクセスポイント２００とＩＰネットワーク１３５を経由して接続されている。
【００７５】
宅内のフェムトセルアクセスポイント２００とはＳＩＰやＲＴＰだけでなく、これらと異なるプロトコルを用いて接続することができる。
【００７６】
また、フェムトセルゲートウェイ装置３１０は、ＲＮＣと同じプロトコルであるＩｕ−ＰＳプロトコルを実装し、Ｉｕ−ＰＳプロトコルを用いて交換機１９８と接続される。
【００７７】
交換機１９８はＩｕ−ＰＳプロトコルを用いて携帯端末１７０が在圏するエリアのＲＮＣ装置１９５に接続される。
【００７８】
ＲＮＣ装置１９５は携帯端末１７０が在圏するエリアの無線基地局１４１を経由して携帯端末１７０と接続する。
【００７９】
図４は、フェムトセルゲートウェイ装置３１０の構成を示す図である。図４において、図２の同一要素には、同一の参照番号が付されている。
【００８０】
パケット受信部３１２は、宅内のフェムトセルアクセスポイント２００から、ＲＴＰだけでなく、これと異なるプロトコルにより、ファイル、又はストリームを受信する。
【００８１】
プロトコル変換部３１５は、交換機１９８と接続するために、Ｉｕ−ＰＳプロトコルにより、トランスコード後のファイル又はストリームを送出する。
【００８２】
パケット送信部３１６は、Ｉｕ−ＰＳ／ＵＤＰ／ＩＰパケットを生成して交換機１９８に対して送出する。
【００８３】
なお、前記第１の実施の構成及び前記第２の実施の構成のいずれにおいても、携帯端末１７０との無線機能としては、Ｗ−ＣＤＭＡやＣＤＭＡ２０００だけでなく、ＨＳＤＰＡ  （Ｈｉｇｈ  Ｓｐｅｅｄ  Ｄｏｗｎｌｉｎｋ  Ｐａｃｋｅｔ  Ａｃｃｅｓｓ）、ＨＳＰＡ＋（Ｈｉｇｈ  Ｓｐｅｅｄ  Ｐａｃｋｅｔ  Ａｃｃｅｓｓ）、ＬＴＥ  （Ｌｏｎｇ  Ｔｅｒｍ  Ｅｖｏｌｕｔｉｏｎ）やＷｉＭａｘ等を使用することができる。
【００８４】
携帯端末１７０としては、携帯電話だけでなく、ＰＨＳ、ＷｉＭａｘ端末、モバイルデータカードを格納したノートＰＣやモバイルデータカードを格納したゲーム機等を使用することができる。
【００８５】
また、フェムトセルアクセスポイント２００として、Ｈｏｍｅ  Ｎｏｄｅ  ＢやＨｏｍｅ  ｅＮｏｄｅＢ等を用いることもできる。
【００８６】
宅内にある映像を含むコンテンツに対し、ブロードバンドネットワーク、ＮＧＮ、インターネット、モバイルネットワーク等を介して、携帯電話、ＰＨＳ、モバイルデータカード内蔵ノートＰＣ、モバイルデータカード内蔵ゲーム機等、映像やオーディオ等のコンテンツを復号できる能力は端末により異なっていても、端末を改造することなく、種々の端末で、宅内の映像コンテンツを復号、表示することができるという効果がある。
【００８７】
なお、上記の特許文献の各開示を、本書に引用をもって繰り込むものとする。本発明の全開示（請求の範囲を含む）の枠内において、さらにその基本的技術思想に基づいて、実施形態ないし実施例の変更・調整が可能である。また、本発明の請求の範囲の枠内において種々の開示要素の多様な組み合わせないし選択が可能である。すなわち、本発明は、請求の範囲を含む全開示、技術的思想にしたがって当業者であればなし得るであろう各種変形、修正を含むことは勿論である。
【符号の説明】
【００８８】
１１０、３１０  フェムトセルゲートウェイ装置
１１１  制御信号変換部
１１２、３１２  パケット受信部
１１３  トランスコーダ部
１１４  ファイル変換部
１１５、３１５  プロトコル変換部
１１６、３１６  パケット送信部
１１７  変換指示部
１１８  能力テーブル
１２０  ウェブサーバ
１３０  モバイルＩＭＳネットワーク
１３５  ＩＰネットワーク
１４０  モバイルネットワーク
１４１  無線基地局
１５０  宅内
１５５  ホームサーバ
１５７  ＴＶ（テレビ）
１５８  ＤＶＤ／ＨＤＤレコーダ
１７０  携帯端末
１９０  ｘＧＳＮ装置
１９５  ＲＮＣ装置
１９８  交換機
２００  フェムトセルアクセスポイント
【図１】
0005561278.tif 000002
【図２】
0005561278.tif 000003
【図３】
0005561278.tif 000004
【図４】
0005561278.tif 000005